【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
試験片を濡らし、乾燥させるための装置であって、
試験チャンバと、
前記試験チャンバ内においてＵＶ放射を生成することができるランプと、
前記試験チャンバ内に配置され、関連する液体源に接続される第１のディスペンサと、
前記第１のディスペンサを制御するために該ディスペンサと通信するコントローラと、
関連する試験片を支持するために前記試験チャンバ内に配置された試験片支持部と、
を備え、
前記試験片支持部は、該試験片支持部によって支持されている関連する試験片に前記ランプから放出された放射が当たるように前記ランプに対して配置され、
前記試験片支持部は、前記第１のディスペンサから供給された液体が該試験片支持部によって支持されている関連する試験片に接触するように前記第１のディスペンサに対して配置され、
前記試験チャンバ内又はそれに隣接して第１の温度センサが配置され、
前記試験チャンバ内又はそれに隣接して第２の温度センサが配置され、
前記試験チャンバに流体連通するように複数の送風機システムが設けられ、
前記温度センサ及び前記送風機システムと通信状態で温度コントローラが設けられ、
前記コントローラが、前記第１温度センサ及び前記第２温度センサからデータを受信し、前記温度センサから受信したデータに応じて前記送風機システムを制御するようにされた、
ことを特徴とする装置。
【請求項２】
前記ランプと電気的に通信して前記ランプを昼間又は夜間をシミュレートするように周期的に変化させることができるタイマーをさらに備えることを特徴とする請求項１に記載の装置。
【請求項３】
前記試験チャンバに流体的に連通する加湿器、前記試験チャンバ内又はそれに隣接する湿度センサ、前記湿度センサ及び前記加湿器と通信する加湿器コントローラをさらに備えることを特徴とする請求項１に記載の装置。
【請求項４】
前記ランプと電気的に通信して前記ランプを昼間又は夜間をシミュレートするように周期的に変化させることができるタイマーをさらに備えることを特徴とする請求項３に記載の装置。
【請求項５】
前記ランプがキセノンランプを含むことを特徴とする請求項１に記載の装置。
【請求項６】
前記試験片支持部が水平面から１０°より小さい角度で関連する試験片を支持するように適合されたことを特徴とする請求項１に記載の装置。
【請求項７】
前記ランプと電気的に通信して前記ランプの放射照度を制御する調光器と、前記試験チャンバ内に配置され前記調光器と電気的に通信する放射照度センサをさらに備えることを特徴とする請求項１に記載の装置。
【請求項８】
前記試験チャンバに連通する加熱器を有し、温度コントローラが前記加熱器と通信することを特徴とする請求項１に記載の装置。
【請求項９】
前記第１の温度センサが空気温度センサを有し、前記第２の温度センサが及びブラックパネルセンサを有することを特徴とする請求項８に記載の装置。
【請求項１０】
前記送風機システムが送風機及びダンパーを含むことを特徴とする請求項８に記載の装置。
【請求項１１】
前記送風機システムが２つの送風機を含むことを特徴とする請求項８に記載の装置。
【請求項１２】
前記温度コントローラが前記２つの送風機のうちの１つと通信して前記ブラックパネルセンサから受信したデータに応じて送風機を制御し、前記温度コントローラが前記２つの送風機のうちのもう一方と通信して前記空気温度センサから受信したデータに応じてもう一方の送風機を制御することを特徴とする請求項１１に記載の装置。
【請求項１３】
前記温度コントローラが前記空気温度センサから受信したデータに応じて加熱器と通信することを特徴とする請求項１１に記載の装置。
【請求項１４】
前記温度コントローラが、温度サイクルを可能にするために前記送風機システム及び前記加熱器を制御するようにされたことを特徴とする請求項８に記載の装置。
【請求項１５】
関連する水源に接続される第２のディスペンサをさらに備えることを特徴とする請求項１に記載の装置。
【請求項１６】
前記第１のディスペンサが関連する試験片にスプレーするためのノズルを備えることを特徴とする請求項１に記載の装置。
【請求項１７】
前記ランプと電気的に通信して前記ランプを昼間又は夜間をシミュレートするように周期的に変化させることができるタイマーをさらに備えることを特徴とする請求項１６に記載の装置。
【請求項１８】
前記試験チャンバ内又はそれに隣接して配置される温度センサ、前記試験チャンバに連通する加熱器、前記試験チャンバに流体連通する送風機システム、前記温度センサ、前記加熱器及び前記送風機システムと通信する温度コントローラをさらに備え、前記温度コントローラが温度サイクルを可能にするために前記送風機システム及び前記加熱器を制御するようにされたことを特徴とする請求項１６に記載の装置。
【請求項１９】
試験チャンバ、前記試験チャンバ内に配置される試験片支持部、前記試験チャンバ内に放射を射出するランプ、前記ランプと電気的に通信するタイマー、前記試験チャンバ内又はそれに隣接して配置された温度センサ、前記試験チャンバ及び流体ディスペンサに連通する空気加熱器を有する促進耐候性装置において、試験片に対する腐食性溶液の影響を生じさせるための方法であって、
前記試験片支持部上に少なくとも実質的に水平に前記試験片を位置決めし、
水滴が前記試験片の表面上に形成されるように腐食性溶液で前記試験片を濡らし、
前記試験片に向けてランプから選択的に放射を射出し、
前記試験片に対して制御された乾燥を行わせる、
ことを含む方法。
【請求項２０】
前記濡らすステップが、腐食性溶液を前記試験片にスプレーすることをさらに含む、請求項１９に記載の方法。
【請求項２１】
前記試験片を水で濡らすことをさらに含む、請求項２０に記載の方法。
【請求項２２】
制御された乾燥を行わせる前記ステップが、前記試験チャンバ内の空気温度を制御することをさらに含む、請求項１９に記載の方法。
【請求項２３】
制御された乾燥を行わせる前記ステップが、少なくとも２つの温度の間で前記試験チャンバ内の空気温度を周期的に変化させることをさらに含む、請求項２２に記載の方法。
【請求項２４】
制御された乾燥を行わせる前記ステップが、前記試験チャンバ内のブラックパネル温度を制御することをさらに含む、請求項２２に記載の方法。
【請求項２５】
制御された乾燥を行わせる前記ステップが、少なくとも２つの温度の間でブラックパネル温度を周期的に変化させることをさらに含む、請求項２４に記載の方法。
【請求項２６】
制御された乾燥を行わせる前記ステップが、多数の送風機システムを用いて前記試験チャンバ内の空気温度及びブラックパネル温度を制御することをさらに含む、請求項２４に記載の方法。
【請求項２７】
制御された乾燥を行わせる前記ステップが、送風機及びダンパーシステムを用いて前記試験チャンバ内の空気温度及びブラックパネル温度を制御することをさらに含む、請求項２４に記載の方法。
【請求項２８】
制御された乾燥を行わせる前記ステップが、前記試験チャンバ内部の相対湿度を制御することをさらに含む、請求項１９に記載の方法。
【請求項２９】
前記選択的に放射を放出するステップが、ＵＶ放射を放出することをさらに含む、請求項１９に記載の方法。
【請求項３０】
前記選択的に放射を放出するステップが、前記ランプを夜及び昼サイクルで周期的に変化させることをさらに含む、請求項２９に記載の方法。
【請求項３１】
前記試験片を濡らすステップが、酸性雨をシミュレートする溶液で前記試験片を濡らすことを含む、請求項１９に記載の方法。
【手続補正２】
【補正対象書類名】図面
【補正対象項目名】図１
【補正方法】変更
【補正の内容】
【図１】
2007506969.tif 000001